(57)【要約】  細孔性錯体結晶に試料を供給して確実に吸蔵させることを可能にする単結晶Ｘ線構造解析試料の吸蔵装置及び吸蔵方法を提供する。試料を吸蔵させる吸蔵装置３００であって、前記試料を、細孔性錯体結晶を保持した試料ホルダ３１０が挿入されたアプリケータ３１１の内部に供給する供給部と、前記アプリケータ３１１の温度を制御する温度調整部３２０と、前記試料ホルダ３１０が挿入された前記アプリケータ３１１の内部から前記試料を搬出する排出部と、前記供給部と前記温度調整部３２０と前記排出部とを制御する制御部３４０と、を備える。
2020105723.tif 000002
【特許請求の範囲】
【請求項１】
試料を吸蔵させる吸蔵装置であって、
前記試料を、細孔性錯体結晶を保持した試料ホルダが挿入されたアプリケータの内部に供給する供給部と、
前記アプリケータの温度を制御する温度調整部と、
前記試料ホルダが挿入された前記アプリケータの内部から前記試料を搬出する排出部と、
前記供給部と前記温度調整部と前記排出部とを制御する制御部と、を備えることを特徴とする吸蔵装置。
【請求項２】
請求項１記載の吸蔵装置であって、
前記供給部は、注入パイプを備え、
前記供給部は、前記試料ホルダに形成された第１の貫通穴を通して前記アプリケータに挿入された前記注入パイプを介して、前記アプリケータの内部に前記試料を供給することを特徴とする吸蔵装置。
【請求項３】
請求項１又は２に記載の吸蔵装置であって、
前記排出部は、排出パイプを備え、
前記排出部は、前記試料ホルダに形成された第２の貫通穴を通して前記アプリケータに挿入された前記排出パイプを介して、前記アプリケータの内部から前記試料を搬出することを特徴とする吸蔵装置。
【請求項４】
請求項１記載の吸蔵装置であって、
前記供給部は、
外部から供給された前記試料の圧力または流量を調整する供給側第１アクチュエータと、
前記供給側第１アクチュエータで調整された前記試料を分析する供給側分析部と、
前記供給側分析部で分析された前記試料の圧力または流量を調整する供給側第２アクチュエータと、
前記試料ホルダに形成された第１の貫通穴を通して前記アプリケータに挿入され、前記供給側第２アクチュエータで調整された前記試料を前記アプリケータの内部に供給する注入パイプと、を備えることを特徴とする吸蔵装置。
【請求項５】
請求項１又は４に記載の吸蔵装置であって、
前記排出部は、
前記試料ホルダに形成された第２の貫通穴を通して前記アプリケータに挿入される排出パイプと、
前記排出パイプを介して前記アプリケータの内部から前記試料を排出する排出側第１アクチュエータと、
前記排出側第１アクチュエータに排出された前記試料の成分を分析する排出側分析部と、
前記排出側分析部で成分が分析された前記試料の圧力又は流量又は濃度を調整して排出する排出側第２アクチュエータと、を備えることを特徴とする吸蔵装置。
【請求項６】
請求項１記載の吸蔵装置であって、
前記供給部は、
外部から供給された前記試料の圧力または流量を調整する供給側第１アクチュエータと、
前記供給側第１アクチュエータで調整された前記試料を分析する供給側分析部と、
前記供給側分析部で分析された前記試料の圧力または流量を調整する供給側第２アクチュエータと、
前記試料ホルダに形成された第１の貫通穴を通して前記アプリケータに挿入され、前記供給側第２アクチュエータで調整された前記試料を前記アプリケータの内部に供給する注入パイプと、
前記試料ホルダに形成された第２の貫通穴を通して前記アプリケータに挿入される排出パイプと、
前記排出パイプを介して前記アプリケータの内部から前記試料を排出する排出側第１アクチュエータと、
前記排出側第１アクチュエータに排出された前記試料の成分を分析する排出側分析部と、
前記排出側分析部で成分が分析された前記試料の圧力又は流量又は濃度を調整して排出する排出側第２アクチュエータと、を備え、
前記排出側第２アクチュエータに排出された前記試料は、前記供給側第１アクチュエータに戻されることを特徴とする吸蔵装置。
【請求項７】
請求項１〜６の何れか一項に記載の吸蔵装置であって、
前記制御部は、前記供給部と前記温度調整部と前記排出部とを制御して、前記試料ホルダに保持させた前記細孔性錯体結晶に前記試料を吸蔵させるための吸蔵条件を制御することを特徴とする吸蔵装置。
【請求項８】
請求項１〜７の何れか一項に記載の吸蔵装置であって、
前記試料ホルダまたは前記アプリケータに備えられた情報保持部に保持された情報を読み取る読取部を備え、
前記制御部は、前記読取部が読み取った情報を記憶することを特徴とする吸蔵装置。
【請求項９】
請求項８記載の吸蔵装置であって、
前記制御部は、前記読取部が読み取った情報に基づいて、前記供給部から前記アプリケータに供給される前記試料の種類に応じて前記供給部と前記温度調整部と前記排出部とを制御することを特徴とする吸蔵装置。
【請求項１０】
試料を吸蔵させる吸蔵方法であって、
前記試料を、細孔性錯体結晶を保持した試料ホルダが挿入されたアプリケータに吸蔵装置から、供給する工程と、
前記吸蔵装置により前記アプリケータの内部から前記アプリケータに供給された前記試料を排出する工程と、を含み、
前記供給する工程または前記排出する工程の少なくとも一方は、前記試料の濃度、圧力、温度又は時間の何れかを含む吸蔵条件を制御した状態で行なわれることを特徴とする吸蔵方法。
【請求項１１】
請求項１０記載の吸蔵方法であって、
前記試料を供給する工程は、前記試料ホルダに形成された第１の貫通穴を通して前記アプリケータに挿入された注入パイプを介して供給することを特徴とする吸蔵方法。
【請求項１２】
請求項１０または１１に記載の吸蔵方法であって、
前記試料を排出する工程は、前記試料ホルダに形成された第２の貫通穴を通して前記アプリケータに挿入された排出パイプを介して前記試料を搬出することにより行うことを特徴とする吸蔵方法。
【発明の詳細な説明】
【技術分野】
【０００１】
本発明は、単結晶Ｘ線構造解析で使用する解析試料を準備するための装置及び方法に係り、特に、試料を結晶スポンジに吸蔵させるのに適した単結晶Ｘ線構造解析試料の吸蔵装置及び吸蔵方法に関する。
【背景技術】
【０００２】
新たなデバイスや材料の研究開発では、日常的に材料の合成、材料の評価、それに基づいた次の研究方針の決定が行なわれている。短期間に材料開発を行うためのＸ線回折を用いた物質の構造解析では、目的の材料の機能・物性を実現する物質構造を効率良く探索するために、構造解析を効率的に行うことを可能とする物質の構造解析を中心とした物質構造の探索方法とそれに用いるＸ線構造解析は必要不可欠である。【０００３】
しかし、当該手法で得られた結果に基づいて構造解析を行うことは、Ｘ線の専門家でなければ難しかった。そのため、Ｘ線の専門家でなくても構造解析を行うことができるＸ線構造解析システムが求められていた。その中でも、特に、以下の特許文献１にも知られるように、単結晶Ｘ線構造解析は、正確で精度の高い分子の立体構造を得ることができる手法として注目されている。【０００４】
他方、この単結晶Ｘ線構造解析には、試料を結晶化して単結晶を用意しなければならないという大きな制約があった。しかしながら、以下の非特許文献１や２、更には、特許文献２にも知られるように、「結晶スポンジ」と呼ばれる材料（例えば、直径0.5nｍから１nｍの細孔が無数に開いた細孔性錯体結晶）の開発によって、結晶化しない液体状化合物や結晶化を行うに足る量を確保できない試料なども含め、単結晶Ｘ線構造解析を広く適用することが可能となっている。【０００５】
単結晶Ｘ線構造解析の分野において、単結晶サンプルを単結晶Ｘ線構造解析装置で解析して単結晶の結晶構造を求める場合、分析対象の単結晶サンプルを作成することが難しく、さらに、この分析対象の単結晶サンプルを単結晶Ｘ線構造解析装置で解析して得られたデータから単結晶の結晶構造を求めるには経験と勘などの熟練度が必要になり、ごく限られた人しか操作することができなかった。【０００６】
一方、近年、単結晶Ｘ線構造解析装置の技術開発が進み、単結晶サンプルさえ手に入れられれば、結晶構造解析技術に熟練していない人でも単結晶サンプルを単結晶Ｘ線構造解析装置で解析できて、単結晶サンプルの結晶構造を比較的容易に求めることができるようになってきた。
【先行技術文献】
【特許文献】
【０００７】
【特許文献１】特開２００７−３３９４号公報
【特許文献２】再公表特許ＷＯ２０１６／０１７７７０号公報
【非特許文献】
【０００８】
【非特許文献１】Makoto Fujita; X-ray analysis on the nanogram to microgram scale using porous complexes; Nature 495, 461-466; 28 March 2013
【非特許文献２】Hoshino et al. (2016), The updated crystalline sponge method IUCrJ, 3, 139-151
【発明の概要】
【発明が解決しようとする課題】
【０００９】
従来技術では、非特許文献1に記載されているように、微細な孔が多数形成されている極微小で脆弱（fragile）な結晶スポンジを形成して、この結晶スポンジの微細な孔の内部に試料を吸蔵し、これを単結晶Ｘ線構造解析装置で解析することにより、単結晶の結晶構造を比較的容易に求めることができる。【００１０】
この結晶スポンジを用いて単結晶Ｘ線構造解析装置で解析するには、結晶スポンジの微細な孔の内部に吸蔵させて形成した単結晶化した試料を、単結晶Ｘ線構造解析装置で分析するために使用される試料用ホルダの一部（ゴニオヘッドピンの先端）に確実に装着させることが必要になる。しかしながら、上述した従来技術には、極微小で脆弱（fragile）な結晶スポンジに吸蔵して形成した試料を確実に試料ホルダに搭載する方法については開示されていない。【００１１】
本発明は、上記した従来技術の課題を解決して、単結晶Ｘ線構造解析装置の試料ホルダに解析試料を単結晶化するための極微小で脆弱（fragile）な結晶スポンジを保持した状態で、この結晶スポンジに解析試料を供給して確実に吸蔵させることを可能にする単結晶Ｘ線構造解析試料の吸蔵装置及び吸蔵方法を提供するものである。
【課題を解決するための手段】
【００１２】
（１）上記の目的を達成するため、本発明の吸蔵装置は、試料を吸蔵させる吸蔵装置であって、前記試料を、細孔性錯体結晶を保持した試料ホルダが挿入されたアプリケータの内部に供給する供給部と、前記アプリケータの温度を制御する温度調整部と、前記試料ホルダが挿入された前記アプリケータの内部から前記試料を搬出する排出部と、前記供給部と前記温度調整部と前記排出部とを制御する制御部と、を備えることを特徴としている。【００１３】
（２）また、本発明の吸蔵装置において、前記供給部は、注入パイプを備え、前記供給部は、前記試料ホルダに形成された第１の貫通穴を通して前記アプリケータに挿入された前記注入パイプを介して、前記アプリケータの内部に前記試料を供給することを特徴としている。【００１４】
（３）また、本発明の吸蔵装置において、前記排出部は、排出パイプを備え、前記排出部は、前記試料ホルダに形成された第２の貫通穴を通して前記アプリケータに挿入された前記排出パイプを介して、前記アプリケータの内部から前記試料を搬出することを特徴としている。【００１５】
（４）また、本発明の吸蔵装置において、前記供給部は、外部から供給された前記試料の圧力または流量を調整する供給側第１アクチュエータと、前記供給側第１アクチュエータで調整された前記試料を分析する供給側分析部と、前記供給側分析部で分析された前記試料の圧力または流量を調整する供給側第２アクチュエータと、前記試料ホルダに形成された第１の貫通穴を通して前記アプリケータに挿入され、前記供給側第２アクチュエータで調整された前記試料を前記アプリケータの内部に供給する注入パイプと、を備えることを特徴としている。【００１６】
（５）また、本発明の吸蔵装置において、前記排出部は、前記試料ホルダに形成された第２の貫通穴を通して前記アプリケータに挿入される排出パイプと、前記排出パイプを介して前記アプリケータの内部から前記試料を排出する排出側第１アクチュエータと、前記排出側第１アクチュエータに排出された前記試料の成分を分析する排出側分析部と、前記排出側分析部で成分が分析された前記試料の圧力又は流量又は濃度を調整して排出する排出側第２アクチュエータと、を備えることを特徴としている。【００１７】
（６）また、本発明の吸蔵装置において、前記供給部は、外部から供給された前記試料の圧力または流量を調整する供給側第１アクチュエータと、前記供給側第１アクチュエータで調整された前記試料を分析する供給側分析部と、前記供給側分析部で分析された前記試料の圧力または流量を調整する供給側第２アクチュエータと、前記試料ホルダに形成された第１の貫通穴を通して前記アプリケータに挿入され、前記供給側第２アクチュエータで調整された前記試料を前記アプリケータの内部に供給する注入パイプと、前記試料ホルダに形成された第２の貫通穴を通して前記アプリケータに挿入される排出パイプと、前記排出パイプを介して前記アプリケータの内部から前記試料を排出する排出側第１アクチュエータと、前記排出側第１アクチュエータに排出された前記試料の成分を分析する排出側分析部と、前記排出側分析部で成分が分析された前記試料の圧力又は流量又は濃度を調整して排出する排出側第２アクチュエータと、を備え、前記排出側第２アクチュエータに排出された前記試料は、前記供給側第１アクチュエータに戻されることを特徴としている。【００１８】
（７）また、本発明の吸蔵装置において、前記制御部は、前記供給部と前記温度調整部と前記排出部とを制御して、前記試料ホルダに保持させた前記細孔性錯体結晶に前記試料を吸蔵させるための吸蔵条件を制御することを特徴としている。【００１９】
（８）また、本発明の吸蔵装置において、前記試料ホルダまたは前記アプリケータに備えられた情報保持部に保持された情報を読み取る読取部を備え、前記制御部は、前記読取部が読み取った情報を記憶することを特徴としている。【００２０】
（９）また、本発明の吸蔵装置において、前記制御部は、前記読取部が読み取った情報に基づいて、前記供給部から前記アプリケータに供給される前記試料の種類に応じて前記供給部と前記温度調整部と前記排出部とを制御することを特徴としている。【００２１】
（１０）また、本発明の吸蔵方法は、試料を吸蔵させる吸蔵方法であって、前記試料を、細孔性錯体結晶を保持した試料ホルダが挿入されたアプリケータに吸蔵装置から、供給する工程と、前記吸蔵装置により前記アプリケータの内部から前記アプリケータに供給された前記試料を排出する工程と、を含み、前記供給する工程または前記排出する工程の少なくとも一方は、前記試料の濃度、圧力、温度又は時間の何れかを含む吸蔵条件を制御した状態で行なわれることを特徴としている。【００２２】
（１１）また、本発明の吸蔵方法において、前記試料を供給する工程は、前記試料ホルダに形成された第１の貫通穴を通して前記アプリケータに挿入された注入パイプを介して供給することを特徴としている。【００２３】
（１２）また、本発明の吸蔵方法において、前記試料を排出する工程は、前記試料ホルダに形成された第２の貫通穴を通して前記アプリケータに挿入された排出パイプを介して前記試料を搬出することにより行うことを特徴としている。
【発明の効果】
【００２４】
本発明の吸蔵装置によれば、単結晶Ｘ線構造解析装置の試料ホルダに解析試料を単結晶化するための極微小で脆弱（fragile）な細孔性錯体結晶である結晶スポンジを保持した状態で、この細孔性錯体結晶に解析試料を供給して確実に吸蔵させることを可能にした。
【図面の簡単な説明】
【００２５】
【図１】本発明の第一の実施例に係る単結晶Ｘ線構造解析装置を備えた単結晶Ｘ線構造解析システム全体の概略の構成を示すブロック図である。
【図２】本発明の第一の実施例に係る単結晶Ｘ線構造解析装置の構成を示す斜視図である。
【図３】本発明の第一の実施例に係る単結晶Ｘ線構造解析装置の測定部の構成を示す斜視図である。
【図４】（ａ）は、本発明の第一の実施例に係る単結晶Ｘ線構造解析装置の電気的な内部構成の詳細の一例を示すブロック図であり、（ｂ）は、本発明の第一の実施例に係る単結晶Ｘ線構造解析装置の電気的な内部構成の詳細の一例として、データファイル内に複数の測定データを記憶するためのファイル管理方法を示すデータファイルのブロック図である。
【図５】本発明の第一の実施例に係る単結晶Ｘ線構造解析装置で観察するＸＲＤＳパターンのイメージを示す図である。
【図６】（ａ）は、本発明の第一の実施例に係る単結晶Ｘ線構造解析装置の測定用アプリケーションソフトの実行画面の図であり、（ｂ）は、本発明の第一の実施例に係る単結晶Ｘ線構造解析装置の測定用アプリケーションソフトの別の実行画面の図である。
【図７】本発明の第一の実施例に係る単結晶Ｘ線構造解析装置の構造解析プログラムを用いて作成した分子モデルを表示した画面の図である。
【図８】本発明の第一の実施例に係る吸蔵装置の構成を示すブロック図である。
【図９】本発明の第一の実施例に係る吸蔵装置における供給側のセンサの出力波形の一例を示すグラフである。
【図１０】本発明の第一の実施例に係る吸蔵装置における排出側のセンサの出力波形の一例を示すグラフを含む図である。
【図１１】本発明の第一の実施例に係る吸蔵装置の試料ホルダの断面図である。
【図１２】本発明の第一の実施例に係る吸蔵装置の試料ホルダの斜視図である。
【図１３】本発明の第一の実施例に係る吸蔵装置の試料ホルダを収納するアプリケータの斜視図である。
【図１４】本発明の第一の実施例に係る吸蔵装置の試料ホルダを収納するアプリケータの断面図である。
【図１５】本発明の第一の実施例に係る吸蔵装置の試料ホルダをアプリケータに収納した状態を示す断面図である。
【図１６】本発明の第一の実施例に係る吸蔵装置で先端部分に試料を吸蔵した試料ホルダを装着したアプリケータを複数個収納したサンプルトレイの斜視図である。
【図１７】本発明の第二の実施例に係る吸蔵装置の試料ホルダの断面図である。
【図１８】本発明の第三の実施例に係る吸蔵装置の構成を示すブロック図である。
【発明を実施するための形態】
【００２６】
以下に、本発明による、解析試料をスポンジ状の材料（結晶スポンジ、又は、細孔性錯体結晶）内に吸蔵させ、単結晶Ｘ線構造解析装置の試料ホルダとして確実に供給することを可能にする単結晶Ｘ線構造解析装置用の単結晶構造解析試料の吸蔵装置及び吸蔵方法について、図面を用いて説明する。なお、本出願において「ＡまたはＢ」の表現は、「ＡおよびＢの少なくとも一方」を意味し、ＡおよびＢがありえないという特段の事情がない限り「ＡおよびＢ」を含む。
【００２７】
図１に、本実施例に係る単結晶Ｘ線構造解析装置を備えた単結晶Ｘ線構造解析システム１００全体の概略構成を示す。本実施例に係る単結晶Ｘ線構造解析システム１００は、気体や液体などの試料の中から分析対象の試料を抽出するクロマトグラフィ装置２００、クロマトグラフィ装置２００で抽出した試料から単結晶Ｘ線構造解析用の試料を作成する単結晶Ｘ線構造解析装置用吸蔵装置３００（以下、単に吸蔵装置３００とも記す）、吸蔵装置３００で作成した単結晶Ｘ線構造解析用の試料を収納するサンプルトレイ４１０、サンプルトレイ４１０に収納された試料をＸ線を用いて分析する単結晶Ｘ線構造解析装置５００を備えて構成されている。なお、サンプルトレイ４１０を用いずに、試料を単品で吸蔵装置３００から単結晶Ｘ線構造解析装置５００へ移動させるようにしてもよい。
【００２８】
添付の図２には、本発明の一実施の形態になる、単結晶Ｘ線回折装置を含む単結晶Ｘ線構造解析装置の全体外観構成が示されており、図からも明らかなように、単結晶Ｘ線構造解析装置５００は、冷却装置やＸ線発生電源部を格納した基台５０４と、その基台５０４の上に載置された防Ｘ線カバー５０６とを有する。
【００２９】
防Ｘ線カバー５０６は、単結晶Ｘ線回折装置５０９を包囲するケーシング５０７及びそのケーシング５０７の前面に設けられた扉等を有する。ケーシング５０７の前面に設けられた扉は開くことができ、この開いた状態で内部の単結晶Ｘ線回折装置５０９に対して種々の操作を行うことができる。なお、図に示す本実施形態は、後にも述べる結晶スポンジを利用して物質の構造解析を行う単結晶Ｘ線回折装置５０９を含んだ単結晶Ｘ線構造解析装置５００である。
【００３０】
単結晶Ｘ線回折装置５０９は、図３にも示すように、Ｘ線管５１１及びゴニオメータ５１２を有する。Ｘ線管５１１は、ここでは図示しないが、フィラメントと、フィラメントに対向して配置されたターゲット（「対陰極」とも言う）と、それらを気密に格納するケーシングとを有し、このフィラメントは、図２の基台５０４に格納されたＸ線発生電源部によって通電されて発熱して熱電子を放出する。
【００３１】
また、フィラメントとターゲットとの間にはＸ線発生電源部によって高電圧が印加され、フィラメントから放出された熱電子が高電圧によって加速されてターゲットに衝突する。この衝突領域がＸ線焦点を形成し、このＸ線焦点からＸ線が発生して発散する。より詳細には、このＸ線管５１１は、ここでは図示しないが、マイクロフォーカス管と多層膜集光ミラー等の光学素子を含んで構成されており、より高い輝度のビームを照射することが可能であり、また、Cu、MoやAgなどの線源から選択可能となっている。上記に例示するように、フィラメントと、フィラメントに対向して配置されたターゲットと、それらを気密に格納するケーシングが、Ｘ線源として機能し、マイクロフォーカス管と多層膜集光ミラー等の光学素子を含むＸ線照射のための構成がＸ線照射部として機能する。
【００３２】
また、ゴニオメータ５１２は、解析すべき試料Ｓを支持すると共に、試料ＳのＸ線入射点を通る試料軸線ωを中心として回転可能とするθ回転台５１６と、θ回転台のまわりに配置されて試料軸線ωを中心として回転可能な２θ回転台５１７とを有する。ゴニオメータ５１２には、試料Ｓを搭載するゴニオメータヘッド５１４を備えている。なお、試料Ｓは、本実施形態の場合、後にも詳述する試料ホルダ５１３の一部に予め取り付けられた結晶スポンジの内部に吸蔵されている。
【００３３】
ゴニオメータ５１２の基台５１８の内部には、上述したθ回転台５１６及び２θ回転台５１７を駆動するための駆動装置（図示せず）が格納されており、これらの駆動装置によって駆動されて、θ回転台５１６は所定の角速度で間欠的又は連続的に回転し、いわゆるθ回転する。また、これらの駆動装置によって駆動されて２θ回転台５１７は間欠的又は連続的に回転し、いわゆる２θ回転する。上記の駆動装置は任意の構造によって構成できるが、例えば、ウォームとウォームホイールとを含んで構成される動力伝達構造によって構成できる。
【００３４】
ゴニオメータ５１２の外周の一部にはＸ線検出器５２２が載置されており、このＸ線検出器５２２は、例えば、CCD型やCMOS型の2次元ピクセル検出器、ハイブリッド型ピクセル検出器などによって構成される。なお、Ｘ線検出測定部は、試料により回折又は散乱されたＸ線を検出して測定する構成を指し、Ｘ線検出器２２およびこれを制御する制御部を含む。
【００３５】
単結晶Ｘ線回折装置５０９は、以上のように構成されているので、試料Ｓは、ゴニオメータ５１２のθ回転台５１６のθ回転によって試料軸線ωを中心としてθ回転する。この試料Ｓがθ回転する間、Ｘ線管５１１内のＸ線焦点から発生して試料Ｓへ向けられるＸ線は所定の角度で試料Ｓに入射して回折・発散する。即ち、試料Ｓへ入射するＸ線の入射角度は試料Ｓのθ回転に応じて変化する。
【００３６】
試料Ｓに入射するＸ線の入射角度と結晶格子面との間でブラッグの回折条件が満足されると、その試料Ｓから回折Ｘ線が発生する。この回折Ｘ線はＸ線検出器５２２に受光されてそのＸ線強度が測定される。以上により、入射Ｘ線に対するＸ線検出器５２２の角度、すなわち回折角度に対応する回折Ｘ線の強度が測定され、この測定結果から試料Ｓに関する結晶構造等が解析される。
【００３７】
続いて、図４（ａ）は、上記単結晶Ｘ線構造解析装置５００における制御部５５０を構成する電気的な内部構成の詳細の一例を示す。なお、本発明が以下に述べる実施形態に限定されるものでないことは、もちろんである。
【００３８】
この単結晶Ｘ線構造解析装置５００は、上述した内部構成を含んでおり、更に、適宜の物質を試料として測定を行う測定装置５６２と、キーボード、マウス等によって構成される入力装置５６３と、表示手段としての画像表示装置５６４と、解析結果を印刷して出力するための手段としてのプリンタ５６６と、ＣＰＵ（Central Processing Unit）５５７と、ＲＡＭ（Random Access Memory）５５８と、ＲＯＭ（Read Only Memory）５５９と、外部記憶媒体としてのハードディスクなどを有する。これらの要素はバス５５２によって相互につながれている。
【００３９】
画像表示装置５６４は、ＣＲＴディスプレイ、液晶ディスプレイ等といった画像表示機器によって構成されており、画像制御回路５５３によって生成される画像信号に従って画面上に画像を表示する。画像制御回路５５３はこれに入力される画像データに基づいて画像信号を生成する。画像制御回路５５３に入力される画像データは、ＣＰＵ５５７、ＲＡＭ５５８、ＲＯＭ５５９及びハードディスクを備えた解析部５５１を含んで構成されるコンピュータによって実現される各種の演算手段の働きによって形成される。
【００４０】
プリンタ５６６は、インクプロッタ、ドットプリンタ、インクジェットプリンタ、静電転写プリンタ、その他任意の構造の印刷用機器を用いることができる。なお、解析部５５１は、ハードディスクのほかに、光磁気ディスク、半導体メモリ、その他、任意の構造の記憶媒体によって構成することもできる。
【００４１】
ハードディスクを備えて単結晶の構造解析処理を行う解析部５５１の内部には、単結晶Ｘ線構造解析装置５００の全般的な動作を司る分析用アプリケーションソフト５５１１と、測定装置５６２を用いた測定処理の動作を司る測定用アプリケーションソフト５５１２と、画像表示装置５６４を用いた表示処理の動作を司る表示用アプリケーションソフト５５１３とが格納されている。これらのアプリケーションソフトは、必要に応じて解析部５５１のハードディスクから読み出されてＲＡＭ５５８へ転送された後に所定の機能を実現する。
【００４２】
この単結晶Ｘ線構造解析装置５００は、更に、上記測定装置５６２によって得られた測定データを含めた各種の測定結果を記憶するための、例えば、クラウド領域に置かれたデータベースも含んでいる。図の例では、後にも説明するが、上記の測定装置５６２によって得られたＸＲＤＳイメージデータを格納するＸＲＤＳ情報データベース５７１、顕微鏡により得られた実測イメージを格納する顕微鏡イメージデータベース５７２、更には、例えば、ＸＲＦやラマン光線等、Ｘ線以外の分析により得られた測定結果や、物性情報を格納するその他分析データベース５７３が示されている。なお、これらのデータベースは、必ずしも、単結晶Ｘ線構造解析装置５００の内部に搭載される必要はなく、例えば、外部に設けられてネットワーク５８０等を介して相互に通信可能に接続されてもよい。
【００４３】
データファイル内に複数の測定データを記憶するためのファイル管理方法としては、個々の測定データを個別のファイル内に格納する方法も考えられるが、本実施形態では、図４（ｂ）に示すように、複数の測定データを１つのデータファイル内に連続して格納することとしている。なお、図４（ｂ）において「条件」と記載された記憶領域は、測定データが得られたときの装置情報および測定条件を含む各種の情報を記憶するための領域である。
【００４４】
このような測定条件としては、（１）測定対象物質名、（２）測定装置の種類、（３）測定温度範囲、（４）測定開始時刻、（５）測定終了時刻、（６）測定角度範囲、（７）走査移動系の移動速度、（８）走査条件、（９）試料に入射するＸ線の種類、（１０）試料高温装置等といったアタッチメントを使ったか否か、その他、各種の条件が考えられる。
【００４５】
なお、クラウド経由で吸蔵に必要な情報を取得してもよいし、吸蔵装置の制御部内の記憶から吸蔵に必要な情報を取得してもよい。例えば、試料ホルダ、又は、アプリケータの固有情報を基にしてクラウド構造を介して提供される吸蔵のための条件等を検索すれば、必要な吸蔵条件を容易に入手し、その入力／設定を自動的に実行することもできる。
【００４６】
このことから、その後の構造解析処理により得られるデータを一元的に管理することが可能となる。更には、測定／解析後における試料の保管や検証や管理も、より容易に行うことができる。
【００４７】
上記の例ではクラウドに情報を保持するが、必ずしもこれに限定されず単結晶Ｘ線構造解析装置の装置内または装置外のメモリ（HDD）に保持してもよい。また、測定する試料の順番が予め決まっている場合は、試料ホルダやアプリケータから固有情報を取得する構成とせず、予め固有情報をメモリ内に保存しておき、それを順次読み出して、対応する情報を取得しても良い。
【００４８】
ＸＲＤＳ（X-ray Diffraction and Scattering）パターン又はイメージ（図５を参照）は、上記測定装置５６２を構成するＸ線検出器５２２の２次元空間である平面上で受け取られたＸ線を、当該検出器を構成する平面状に配列された画素毎（例えば、ＣＣＤ等）に受光／蓄積して、その強度を測定することにより得られるものである。例えば、Ｘ線検出器５２２の各画素毎に、積分によって受光したＸ線の強度を検出することによれば、ｒとθの２次元空間上のパターン又はイメージが得られる。
【００４９】
＜測定用アプリケーションソフト＞
照射されるＸ線に対する対象材料によるＸ線の回折や散乱によって得られる観測空間上のＸＲＤＳパターン又はイメージは、対象材料の実空間における電子密度分布の情報を反映している。しかしながら、ＸＲＤＳパターンは、ｒとθの２次元空間であり、３次元空間である対象材料の実空間における対称性を直接的に表現するものではない。そのため、一般的に、現存のＸＲＤＳイメージだけでは、材料を構成する原子や分子の（空間）配列を特定することは困難であり、Ｘ線構造解析の専門知識を必要とする。そのため、本実施例では、上述した測定用アプリケーションソフトを採用して自動化を図っている。
【００５０】
その一例として、図６（ａ）及び（ｂ）にその実行画面を示すように、単結晶構造解析のためのプラットフォームである「CrysAlisPro」と呼ばれるＸ線回折データ測定・処理ソフトウェアを搭載し、予備測定、測定条件の設定、本測定、データ処理などを実行する。更には、「AutoChem」と呼ばれる自動構造解析プラグインを搭載することにより、Ｘ線回折データ収集と並行して、構造解析および構造の精密化を実行する。そして、図７にも示す「Olex2」と呼ばれる構造解析プログラムにより、空間群決定から位相決定、分子モデルの構築と修正、構造の精密化、最終レポート、CIFファイルの作成を行う。
【００５１】
以上、単結晶Ｘ線構造解析装置５００の全体構造やその機能について述べたが、以下には、特に、本発明に係る結晶スポンジと、それに関連する装置や器具について、添付の図面を参照しながら詳細に述べる。
【００５２】
＜結晶スポンジ＞
上述したように、内部に直径0.5nmから１nmの細孔が無数に開いた、寸法が数10μｍ〜数100μｍ程度の極微小で脆弱（fragile）な細孔性錯体結晶である「結晶スポンジ」と呼ばれる材料の開発によって、単結晶Ｘ線構造解析は、結晶化しない液体状化合物や、或いは、結晶化を行うに足る量が確保できない数nｇ〜数μｇの極微量の試料なども含め、広く適用することが可能となっている。
【００５３】
しかしながら、現状においては、上述した結晶スポンジの骨格内への試料の結晶化である吸蔵（post-crystallization）を行うためには、各種の前処理（分離）装置によって分離された数nｇ〜数μｇ程度の極微量の試料を、既に述べたように、容器内において、シクロヘキサン等の保存溶媒(キャリア)に含浸して提供される外径100μｍ程度の極微小で脆弱（fragile）な結晶スポンジの骨格内に吸蔵させる工程が必要となる。保存溶媒(キャリア)には、液体と、気体（ガス）と、その中間にあたる超臨界流体が含まれる。更には、その後、この試料を吸蔵した極微小で脆弱（fragile）な取り扱い難い結晶スポンジを、迅速に（結晶スポンジが乾燥により破壊されない程度の短い時間で）、容器から取り出し、回折装置内のＸ線照射位置に、より具体的には、ゴニオメータ５１２の試料軸（所謂、ゴニオヘッドピン）の先端部に、センタリングを行いながら正確に搭載する工程を必要とする。
【００５４】
これらの工程は、Ｘ線構造解析の専門知識の有無に関わらず、作業者に非常に緻密な作業を要求する繊細で、かつ、迅速性をも要求される作業であり、結晶スポンジに吸蔵した後の試料の測定結果に多大な影響を及ぼすこととなる。即ち、これらの作業が極微小な結晶スポンジを利用した単結晶Ｘ線構造解析を歩留まりの悪いものとしており、このことが、結晶スポンジを利用した単結晶Ｘ線構造解析が広く利用されることから阻害されることの一因ともなっている。
【００５５】
本発明は、上述したような発明者の知見に基づいて達成されたものであり、極微小で脆弱（fragile）な結晶スポンジによる単結晶Ｘ線構造解析を、以下に述べる試料ホルダ（単に、試料ホルダともいう）を用いることにより、確実にかつ容易に行うことを可能とするものであり、換言すれば、歩留まり良くかつ効率的で、汎用性に優れ、かつ、ユーザーフレンドリな単結晶Ｘ線構造解析装置を実現するものである。
【００５６】
即ち、本発明に係る次世代の単結晶Ｘ線構造解析装置では、極微量な試料Ｓを吸蔵した極微小で脆弱（fragile）な結晶スポンジを用意すると共に、更には、当該試料Ｓ（結晶スポンジ）を吸蔵容器から取り出して、ゴニオータの先端部の所定位置に、正確かつ迅速に取り付けなければならないという、大きな制約があるが、特に、汎用性に優れたユーザーフレンドリな装置を実現するためには、かかる作業を、高度な専門知識や作業の精密（緻密）性を必要とせずに、迅速かつ容易に実行可能なものとする必要がある。
【００５７】
本発明は、かかる課題を解消し、即ち、極微小で脆弱（fragile）な取り扱い難い結晶スポンジを使用しながらも、誰でも、迅速かつ確実かつ容易に、歩留まり良く効率的で、ユーザーフレンドリに行うことが可能で、かつ、汎用性にも優れた単結晶Ｘ線構造解析を行うための装置や方法、更には、そのための器具である試料ホルダを提供するものであり、以下に詳述する。
【実施例１】
【００５８】
図１に示した本発明の第一の実施例に係る単結晶Ｘ線構造解析装置５００を備えた単結晶Ｘ線構造解析システム１００の構成における、結晶スポンジに分析対象試料を吸蔵させる吸蔵装置３００の構成を、図８乃至図１４を用いて説明する。【００５９】
図８は、本発明の第１の実施例に係る単結晶Ｘ線構造解析装置５００用の吸蔵装置３００の構成を示すブロック図である。本実施例に係る吸蔵装置３００は、供給側配管３０１、供給側第１アクチュエータ３０２、供給側分析部３０３、供給側第２アクチュエータ３０４、供給側配管３０５、注入針（注入パイプ）３０６、試料ホルダ３１０（図３の試料ホルダ５１３に相当）を装着したアプリケータ３１１、温度調節器（調温器）３２０、排出針（排出パイプ）３３１、排出管３３２、排出側第１アクチュエータ３３３、排出側分析部３３４、排出側第２アクチュエータ３３５、排出側配管３３６、制御部３４０および読取部３５０を備えている。【００６０】
吸蔵装置３００は、分離装置（例えばガスクロマトグラフィ又は液体クロマトグラフィなど）２００から供給された分析対象の試料（気体、液体または超臨界流体など）を含む担体又は溶媒（以下、これらを含めて試料と記す）が供給側配管３０１を通して供給され、供給側第１アクチュエータ３０２で試料の流量や圧力などが調整される。【００６１】
次に、分析対象試料は、供給側分析部３０３に送られ、そこで、圧力、濃度、温度が調整された試料の成分が分析される。図９にその分析した結果の一例を示す。図９のグラフでは、分離装置２００から送られてきた試料が、ある特定の成分での信号強度にピーク９０１を持っていることを示している。【００６２】
供給側分析部３０３で分析された試料は、供給側配管３０５から、先端部分がアプリケータ３１１に装着された試料ホルダ３１０の内部に差し込まれている注入針３０６に送られ、注入針３０６の先端部分からアプリケータ３１１の内部の試料ホルダ３１０に供給される。このとき、試料のみ、または試料と保存溶媒(キャリア)とが混合された溶液が、供給側の試料導入管２５４内を流れ供給される。注入針３０６は、図示していない駆動手段で駆動されて、アプリケータ３１１の内部に装着された試料ホルダ３１０の内部へ差し込まれる。【００６３】
この状態で、温度調節器３２０は、制御部３４０で制御されて、試料ホルダ３１０を含むアプリケータ３１１が所望の温度になるように、アプリケータ３１１を加熱または冷却する。【００６４】
吸蔵装置３００を用いる場合、温度調節器３２０により温度がコントロールされたアプリケータ３１１内に装着された試料ホルダ３１０の内部に注入針３０６から試料が注入された状態で所定の時間が経過した後、排出側第１アクチュエータ３３３が作動して、先端部分がアプリケータ３１１に装着された試料ホルダ３１０の内部に差し込まれた排出針３３１から、排出管３３２を介して過剰な試料、または試料と保存溶媒(キャリア)とが混合された溶液が排出される。すなわち、過剰な試料とは、排出針３３１の長さに応じて排出される試料を指す。排出針３３１は、図示していない駆動手段で駆動されて試料ホルダ３１０の内部へ差し込まれる。吸蔵装置３００を用いない場合、不要な保存溶媒(キャリア)または溶液が排出側の試料導入管２５４内を流れ排出される。したがって、排出側の試料導入管２５４には、試料が流れない場合がありうる。なお、気体や超臨界流体をキャリアとした場合には、試料を含んだキャリアが排出される。【００６５】
排出側第１アクチュエータ３３３によりアプリケータ３１１の内部から排出された試料は、排出側分析部３３４で成分が分析される。図１０に、その分析した結果の一例を示す。排出側分析部３３４で成分が分析されたアプリケータ３１１の内部から排出された試料は、排出側第２アクチュエータ３３５で圧力、流量、又は濃度が調整されて、排出側配管３３６から質量分析装置６００へ送られて、その質量成分が分析される。【００６６】
ここで、排出側分析部３３４で分析して得られた図１０のグラフを、供給側分析部３０３で分析して得られた図９のグラフと比較すると、図９で強度のピーク９０１を示していた成分の信号に対応する図１０のグラフにおける成分のピーク１００１のレベルが低下していることがわかる。これは、図９でピークを示した成分の一部が、アプリケータ３１１の内部で消費されたことを示している。【００６７】
この図９に示したようなデータと図１０に示したようなデータとを制御部３４０で比較して、両者のピーク値の差又は比率が予め設定した値になった時点で、アプリケータ３１１の内部に装着された試料ホルダ３１０の先端部分に取り付けた結晶スポンジに、分析対象の試料が吸蔵されたと判定し、一連の操作を終了する。【００６８】
図１１には、試料ホルダ３１０を正面から見た断面図を示す。試料ホルダ３１０は、取り扱う作業者が把持する根元部分３１０１の一方の端部に平坦な面３１０２が形成されている。この平坦な面３１０２の先端には、外径が根元部分３１０１よりも細い胴体部３１０３が形成されており、胴体部３１０３の先端にはテーパ状に加工された案内面３１０Ｄが形成され、その先端部に細いピン３１０４が形成されている。【００６９】
根元部分３１０１の他方の端面である図の上面３１０Ａには、当該試料ホルダを単結晶Ｘ線構造解析装置５００のゴニオメータヘッド５１４に装着するための位置決め部材である凹部３１０５が形成されている。また、試料ホルダ３１０には、根元部分３１０１から胴体部３１０３にかけて貫通する注入針用孔３１０６と排出針用孔３１０７が形成されている。注入針用孔３１０６と排出針用孔３１０７には、それぞれその凹部３１０５側の端面に、テーパ状に加工されたテーパ部３１０Ｂと３１０Ｃが形成されている。テーパ部３１０Ｂと３１０Ｃとは、注入針３０６および排出針３３１を挿入するときのガイド面となる。【００７０】
試料ホルダ３１０の全体、または、その一部である根元部分３１０１の凹部３１０５は、ゴニオメータヘッド５１４の先端部分の磁性体と磁気的に結合させるため、磁性体で形成されている。【００７１】
ピン３１０４の先端部分には、分析する試料を吸蔵するための結晶スポンジ３８０が付着（接着）されている。この結晶スポンジ３８０は、分析する対象試料の種類に応じて異なる成分で形成される。【００７２】
図１２に、試料ホルダ３１０の外観を斜視図で示す。根元部分３１０１の外周面には、ピン３１０４の先端部分に付着（接着）させた結晶スポンジ３８０に関する情報（結晶スポンジ３８０の種類、ロット番号などの情報）を記憶する、情報記憶部３１０８が形成されている。情報記憶部３１０８は、例えば、バーコード、ＱＲコード（登録商標）、ＩＣチップなどで形成される。【００７３】
この情報記憶部３１０８に記憶された情報は、図８に示した読取部３５０で読み取られ、制御部３４０内に記憶される。制御部３４０は、読取部３５０で読み取った情報記憶部３１０８に記憶された情報に基づいて、供給側第１アクチュエータ３０２、供給側分析部３０３、供給側第２アクチュエータ３０４、温度調節器３２０、排出側第１アクチュエータ３３３、排出側分析部３３４、排出側第２アクチュエータ３３５を制御して、試料ホルダ３１０のピン３１０４の先端部分に付着（接着）させた結晶スポンジ３８０に対して注入針３０６から分析対象の試料を供給し、結晶スポンジ３８０に試料を収蔵させる。【００７４】
制御部３４０は、アプリケータ３１１の内部でこの結晶スポンジ３８０に試料を吸蔵させたときの吸蔵条件（試料ホルダ３１０の内部に供給した試料の温度、圧力、濃度、処理時間などのいずれかを含む条件）を記憶する。この制御部３４０に記憶された吸蔵条件は、図示していない通信回線を解して、他の処理手段へ転送することができる。【００７５】
図１３には、試料ホルダ３１０を装着するためのアプリケータ３１１の外観を斜視図で示す。アプリケータ３１１の外観は直方体の形状をしている。また、アプリケータ３１１は樹脂で形成され、内部に装着する試料ホルダ３１０のピン３１０４の先端部分に付着させる結晶スポンジ３８０の種類に応じて、色分けされている。これにより、アプリケータ３１１に試料ホルダ３１０を装着した状態で、試料ホルダ３１０のピン３１０４の先端に付着させた結晶スポンジ３８０の種類を、アプリケータ３１１の色から判断することができる。【００７６】
図１３におけるアプリケータ３１１の、Ａ−Ａ断面を図１４に示す。アプリケータ３１１には、試料ホルダ３１０の根元部分３１０１が挿入される部分３１１１、試料ホルダ３１０の胴体部３１０３が挿入される筒状の部分３１１２、試料ホルダ３１０のピン３１０４が挿入される先端部分３１１３が形成されている。ピン３１０４が挿入される先端部分３１１３は、先に行くほど径が小さくなる、円錐状の形状をしている。また、アプリケータ３１１が試料ホルダ３１０の根元部分３１０１の平坦な面３１０２と当接する内面３１１４には、Ｏリング溝３１１５が形成されている。【００７７】
図１５には、試料ホルダ３１０をアプリケータ３１１に装着し、さらに、注入針３０６と排出針３３１とがアプリケータ３１１の内部に挿入され、かつ、試料ホルダ３１０のピン３１０４の先端部分に結晶スポンジ３８０が付着されている状態を示す。注入針３０６は、ピン３１０４の先端部分に取り付けた結晶スポンジ３８０の近傍に試料を供給するので、排出針３３１よりも深くなるようにアプリケータ３１１の内部に挿入されている。【００７８】
この状態において、試料ホルダ３１０は、図示していない押圧手段によりアプリケータ３１１に押し付けられて、試料ホルダ３１０の根元部分３１０１の平坦な面３１０２がアプリケータ３１１の内面３１１４に形成されたＯリング溝３１１５に装着されたＯリング３１１６を押圧してＯリング３１１６を変形させる。また、注入針３０６と注入針用孔３１０６との間、及び排出針３３１と排出針用孔３１０７との間は、それぞれ図示していないシール手段によりシールされている。このような構成とすることにより、試料ホルダ３１０が装着されたアプリケータ３１１の筒状の部分３１１２とその先端の円錐状の先端部分３１１３とは、外部に対して気密な状態を保つことができる。【００７９】
この状態で、図８に示した制御部３４０は、供給側第１アクチュエータ３０２、供給側分析部３０３、供給側第２アクチュエータ３０４および温度調節器３２０を制御して、クロマトグラフィ装置２００から送り出された試料を注入針３０６からアプリケータ３１１の筒状の部分３１１２とその先端部分３１１３に供給する。【００８０】
また、制御部３４０は、排出側第１アクチュエータ３３３、排出側分析部３３４、排出側第２アクチュエータ３３５を制御して、排出針３３１からアプリケータ３１１の筒状の部分３１１２の内部に供給された試料のうち過剰な試料を排出する。【００８１】
試料を、アプリケータ３１１の筒状の部分３１１２とその先端部分３１１３に供給した状態で、ある時間保持することにより、結晶スポンジ３８０の内部に試料が吸蔵される。この時、制御部３４０では、供給側第１アクチュエータ３０２、供給側分析部３０３、供給側第２アクチュエータ３０４および温度調節器３２０を制御して、注入針３０６からアプリケータ３１１の筒状の先端部分３１１３に供給される試料の温度、圧力、濃度、及び処理の時間などを含む、試料を結晶スポンジに吸蔵させるための吸蔵条件を制御する。【００８２】
なお、この図１５に示した状態は、上記の図８に示した注入針３０６及び排出針３３１が試料ホルダ３１０及びアプリケータ３１１に差し込まれて状態を示している。【００８３】
なお、上記で説明した図８に示した構成においては、質量分析装置６００を、単結晶Ｘ線構造解析装置用吸蔵装置３００とは別の構成として説明したが、質量分析装置６００を単結晶Ｘ線構造解析装置用吸蔵装置３００と一体化して、単結晶Ｘ線構造解析装置用吸蔵装置３００の一部としてもよい。【００８４】
図１６は、本実施例に係る単結晶Ｘ線構造解析装置用吸蔵装置で先端部分に試料を吸蔵した試料ホルダ３１０を装着したアプリケータ３１１を、複数個、トレイ４００内に収納した状態を示す、サンプルトレイ（ウェルプレート）４１０の斜視図である。サンプルトレイ４１０には試料ホルダ３１０を内部に装着したアプリケータ３１１が複数個収納されているが、解析試料を吸蔵した結晶スポンジ３８０の種類に応じてアプリケータ３１１の色が区別されているので、色々のアプリケータ３１１内の結晶スポンジ３８０に吸蔵された試料の種類は、その色によって容易に判断することができる。【００８５】
本実施例によれば、試料ホルダ３１０をアプリケータ３１１内に装着した状態で、試料ホルダ３１０のピン３１０４の先端部分に付着させた極微小で脆弱（fragile）な結晶スポンジ３８０の内部に、試料をより安全に吸蔵させることができる。【００８６】
また、本実施例によれば、制御部３４０により、供給側第１アクチュエータ３０２、供給側分析部３０３、供給側第２アクチュエータ３０４、および、排出側第１アクチュエータ３３３、排出側分析部３３４、排出側第２アクチュエータ３３５、更に温度調節器３２０を制御して、結晶スポンジ３８０の内部に試料を吸蔵させるので、従来の手作業で試料の吸蔵を行っていた場合と比べて、分析対象の試料の吸蔵条件の設定が容易になる。【００８７】
更に、本実施例によれば、制御部３４０で、供給側分析部３０３で分析して得られたデータと、排出側分析部３３４で分析して得られたデータとを比較することにより、結晶スポンジ３８０の内部に試料の単結晶が形成されたことを、容易に確認することができる。
【実施例２】
【００８８】
第１の実施例においては、試料ホルダ３１０のピン３１０４の先端部分に結晶スポンジ３８０を付着させた構成について説明したが、本実施例においては、図１７に示すような構成の試料ホルダ７１０を用いた場合について説明する。【００８９】
本実施例において、試料ホルダ７１０以外の構成においては、実施例１において図８に示した構成と同じであり、アプリケータ３１１の構成も実施例１において図１３乃至１５を用いて説明したアプリケータ３１１の形状と同じであるので、詳しい説明を省略する。【００９０】
本実施例で用いる試料ホルダ７１０は、図１７にその断面形状を示すように、試料ホルダ７１０の胴体部７１０３の先のテーパ状に加工された案内面７１０Ｄの先端部分に形成された凹部７１０Ｅに、新たに、パイプ７１０４が装着され固定されている。パイプ７１０４の内部には、試料ホルダ７１０に形成された注入針用孔７１０６に接続する孔７１０８が形成されている。このパイプ７１０４の孔７１０８の内部には、試料を吸蔵するための結晶スポンジ７８０が形成（又は、取り付け）されている。【００９１】
試料ホルダ７１０本体は磁性体の金属で形成されているが、このパイプ７１０４は、例えば硼珪酸ガラス、石英、カプトンなどのＸ線を透過する材料で形成されており、案内面７１０Ｄの先端部分に形成された凹部７１０Ｅに挿入され、更には、接着剤等で固定されている。【００９２】
試料ホルダ７１０の根元部分７１０１、根元部分７１０１の下面７１０２、根元部分７１０１の上面７１０Ａの内側の凹部７１０５については、それぞれ、実施例１で説明した試料ホルダ３１０の対応する部分の構成と同じであり、その詳細な説明は省略する。【００９３】
本実施例では、このような構成の試料ホルダ７１０を、実施例１で図１４を用いて説明したアプリケータ３１１に装着して、注入針用孔７１０６に注入針３０６を挿入し、排出針用孔７１０７に排出針３３１を挿入する。注入針用孔７１０６の上側の端部には、注入針３０６を挿入するときのガイド面となるテーパ部７１０Ｂが形成されている。排出針用孔７１０７の上側の端部には、排出針３３１を挿入するときのガイド面となるテーパ部７１０Ｃが形成されている。【００９４】
上端部にテーパ部７１０Ｂが形成された注入針用孔７１０６に挿入した注入針３０６から試料を結晶スポンジ７８０に供給して、排出針３３１でアプリケータ３１１の内部の気体または液体を排出する構成については実施例１の場合と同じであるので、説明を省略する。【００９５】
なお、図１７に示した構成においては、パイプ７１０４に形成した孔７１０８の径が上から下まで同一な場合について示したが、孔７１０８は、図１７において下側に行くほど径が大きくなるようなテーパ形状でもよく、あるいは、上側に比べて途中で径が大きくなる段差形状に形成してもよい。【００９６】
本実施例によれば、試料ホルダ７１０をアプリケータ３１１に装着した状態で、試料ホルダ７１０の中心部分でパイプ７１０４を貫通して形成された注入針用の孔７１０８の内部に取り付けられた極微小で脆弱（fragile）な結晶スポンジ７８０の内部に、試料をより安全に吸蔵させることができる。【００９７】
また、本実施例によれば、実施例１の場合と同様に、制御部３４０では、供給側第１アクチュエータ３０２、供給側分析部３０３を、更には、供給側第２アクチュエータ３０４、および、排出側第１アクチュエータ３３３、排出側分析部３３４、排出側第２アクチュエータ３３５、更に温度調節器３２０を制御して、極微小で脆弱（fragile）な結晶スポンジ７８０に試料を吸蔵させるので、従来の手作業で試料を結晶スポンジに吸蔵させていた場合と比べて、試料吸蔵の条件の設定が容易になる。【００９８】
更に、本実施例によれば、実施例１の場合と同様に、制御部３４０において、供給側分析部３０３で分析して得られたデータと、排出側分析部３３４で分析して得られたデータとを比較することにより、結晶スポンジ７８０の内部に試料が確実に吸蔵されたことを、容易に確認することができる。
【実施例３】
【００９９】
実施例１で説明した図８の吸蔵装置３００を備えた構成では、排出針３３１によりアプリケータ３１１の内部から排出されたガスまたは試料液は、質量分析装置６００に送られて排気されてしまう構成となっている。これに対して本実施例においては、図１８に示すように、質量分析装置６００から排出された試料をクロマトグラフィ装置２００へ送るための戻りルート３６０を備えた。【０１００】
この戻りルート３６０を通って質量分析装置６００からクロマトグラフィ装置２００へ戻された試料は、再びクロマトグラフィ装置２００で所定の成分が抽出されて、吸蔵装置３００に供給される。このような構成とすることにより、試料は、クロマトグラフィ装置２００から吸蔵装置３００を通って質量分析装置６００までの間を循環する。吸蔵装置３００の動作は実施例１で説明したのと同じである。【０１０１】
本実施例では、図１８に示したような構成とすることにより、排出側分析部３３４で検出したアプリケータ３１１から排出される成分の分析波形データ（実施例１の図１０に相当）を供給側分析部３０３で検出した波形データ（実施例１の図９に相当）と比較して、目的とする試料の結晶スポンジ３８０への吸蔵がその終点まで達したことを検出できるようにした。【０１０２】
すなわち、結晶スポンジ３８０に目的とする試料を吸蔵している期間は、排出側分析部３３４で検出される波形データのうちの結晶スポンジ３８０に吸蔵途中の試料成分の波形のピーク値は、時間とともに減少していく。これに対して、結晶スポンジ３８０への分析対象の試料の吸蔵が完了すると、目的とする試料に対応する成分の消費がなくなるので、排出側分析部３３４で検出される波形データの目的とする試料成分に対応する波高値は、供給側分析部３０３で検出した波形データにおける目的とする試料成分に対応する波高値と同じ値となる。【０１０３】
本実施例では、この特性を利用して、図１８に示したような構成により、供給側分析部３０３で検出した単結晶成分に対応する位置の波形データと排出側分析部３３４で検出される単結晶成分に対応する位置の波形データとを比較して、そのピークレベルが同じになった時点を終点として検出する。【０１０４】
本実施例によれば、クロマトグラフィ装置２００から吸蔵装置３００を通って質量分析装置６００までの間を循環させて試料を用いることができるので、試料の量がごくわずかな時などにおいても、極微小で脆弱（fragile）な結晶スポンジに分析対象の試料が吸蔵されたことを確実に検出することができる。【０１０５】
なお、以上には本発明の種々の実施例を説明したが、本発明は上記した実施例に限定されるものではなく様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、またある実施例の構成に他の実施例の構成を加えることも可能であり、また、各実施例の構成の一部について、他の構成の追加・削除・置換をすることが可能であろう。【０１０６】
本発明は、物質構造の探索方法やそれに用いるＸ線構造解析装置等において広く利用可能である。【０１０７】
なお、本国際出願は、２０１８年１１月２３日に出願した日本国特許出願第２０１８−２１９８０９号に基づく優先権を主張するものであり、日本国特許出願第２０１８−２１９８０９号の全内容を本国際出願に援用する。
【符号の説明】
【０１０８】
１００…単結晶Ｘ線構造解析システム、２００…クロマトグラフィ装置、３００…単結晶Ｘ線構造解析装置用吸蔵装置、３０２…供給側第１アクチュエータ、３０３…供給側分析部、３０４…供給側第２アクチュエータ、３０６…注入針、３１０、７１０…試料ホルダ、３１１…アプリケータ、３２０…温度調節器、３３１…排出針、３３３…排出側第１アクチュエータ、３３４…排出側分析部、３３５…排出側第２アクチュエータ、３４０…制御部、３５０…読取部。
【図１】
2020105723.tif 000003
【図２】
2020105723.tif 000004
【図３】
2020105723.tif 000005
【図４】
2020105723.tif 000006
【図５】
2020105723.tif 000007
【図６】
2020105723.tif 000008
【図７】
2020105723.tif 000009
【図８】
2020105723.tif 000010
【図９】
2020105723.tif 000011
【図１０】
2020105723.tif 000012
【図１１】
2020105723.tif 000013
【図１２】
2020105723.tif 000014
【図１３】
2020105723.tif 000015
【図１４】
2020105723.tif 000016
【図１５】
2020105723.tif 000017
【図１６】
2020105723.tif 000018
【図１７】
2020105723.tif 000019
【図１８】
2020105723.tif 000020
【国際調査報告】
2020105723.tif 000021
2020105723.tif 000022
2020105723.tif 000023
2020105723.tif 000024
2020105723.tif 000025